(57)【要約】【課題】  ねじなどのような別の締結手段を用いることなくシャーシに簡単な方法で組付けることができる磁気記録再生装置のリールカバーを提供する。【解決手段】  本発明によるリールカバーは、リールカバーボディに形成された数個の組付け突起がシャーシに形成された数個の組付け条に挿入されて組付けられ、この状態でリールカバーボディに設けられた弾性部材がシャーシの壁に弾性接触することで前記組付け突起が前記組付け条に挿入された状態が維持される。本発明によるリールカバーは、ねじのような別の締結手段を用いることなくシャーシに簡単に組付けることができる。従って、組付け部品数および組付け工数の減少による生産性向上およびコストダウンを図ることができる。【選択図】      図２
2006004607.tif 000002
【特許請求の範囲】
【請求項１】
シャーシと；
前記シャーシに回転自在に設けられ、テープカセットのテープリールが収容される一対のリールテーブルと、前記リールテーブルへの選択的な動力伝達のために前記リールテーブル間のシャーシに設けられるアイドルギア組立体とを備える磁気記録再生装置におけるアイドルギア組立体の離脱を防止するものであって、
前記アイドルギア組立体の軸が収容される軸支持溝および前記シャーシのアイドルギア組立体の設置位置に形成した多数の組付け条に挿入支持される多数の組付け突起を有し、前記アイドルギア組立体を支持するようにシャーシに設けられるリールカバーボディと；
前記組付け条に対する組付け突起の挿入状態が維持されるように前記リールカバーボディを弾性支持する弾性部材とを含むことを特徴とする磁気記録再生装置のリールカバー。
【請求項２】
前記弾性部材は、前記リールカバーボディに一体形成され、前記シャーシの壁に弾性接触する少なくとも２つの弾性羽根を備えることを特徴とする請求項１に記載の磁気記録再生装置のリールカバー。
【請求項３】
前記リールカバーボディおよび前記弾性部材は、プラスチック材質で形成されることを特徴とする請求項２に記載の磁気記録再生装置のリールカバー。
【請求項４】
前記リールカバーボディには、前記リールテーブルに収容されたテープカセットの磁気テープのロックを解除するリリース突起が設けられていることを特徴とする請求項１に記載の磁気記録再生装置のリールカバー。
【請求項５】
前記リリース突起は、前記リールカバーボディと一体にプラスチック射出成型されてなることを特徴とする請求項４に記載の磁気記録再生装置のリールカバー。
【請求項６】
多数の組付け条を含むシャーシと；
前記シャーシに回転自在に設けられテープカセットのテーブルリールが収容される一対のリールテーブルと；
前記リールテーブルへの選択的な動力伝達のために前記リールテーブル間のシャーシに設けられるアイドルギア組立体と；
前記アイドルギア組立体を支持するように設けられる軸と；
前記アイドルギア組立体の軸が収容される軸支持溝および多数の組付け条に挿入支持される多数の組付け突起とを備え、前記アイドルギア組立体を支持するようにシャーシに設けられるリールカバーボディと；
前記組付け条に対する組付け突起の挿入状態が維持されるように前記リールカバーボディを弾性支持する弾性部材とを含むことを特徴とする磁気記録再生装置。
【請求項７】
前記弾性部材は、前記リールカバーボディに一体形成され、前記シャーシの壁に弾性接触する少なくとも２つの弾性羽根を備えることを特徴する請求項６に記載の磁気記録再生装置。
【請求項８】
シャーシに設けられアイドルギア組立体を支持するようにリールカバーボディを形成するステップと；
前記アイドルギア組立体の軸が収容される軸支持溝を前記リールカバーボディに設けるステップと；
前記アイドルギア組立体の設置位置に形成する多数の組付け条に挿入支持されるように多数の組付け突起を前記リールカバーボディに設けるステップと；
前記組付け条に対する組付け突起の挿入状態が維持されるように前記リールカバーボディを弾性支持する弾性部材を形成するステップとを含むことを特徴とする磁気記録再生装置のリールカバーの製造方法。
【請求項９】
前記弾性部材は、前記リールカバーボディに一体形成され、前記シャーシの壁に弾性接触する少なくとも２つの弾性羽根を備えるように形成されることを特徴とする請求項８に記載の磁気記録再生装置のリールカバーの製造方法。
【請求項１０】
前記リールカバーボディおよび弾性部材は、プラスチック材質で形成されることを特徴とする請求項９に記載の磁気記録再生装置のリールカバーの製造方法。
【請求項１１】
前記リールカバーボディには、前記シャーシに回転自在に設けられるリールテーブルに収容されたテープカセットの磁気テープのロックを解除するリリース突起が設けられていることを特徴とする請求項８に記載の磁気記録再生装置のリールカバーの製造方法。
【請求項１２】
前記リリース突起は、前記リールカバーボディと一体にプラスチック射出成型されてなることを特徴とする請求項１１に記載の磁気記録再生装置のリールカバーの製造方法。
【請求項１３】
多数の組付け条を含むシャーシを形成するステップと；
前記シャーシに回転自在に設けられテープカセットのテープリールが収容される一対のリールテーブルを形成するステップと；
前記リールテーブルへの選択的な動力伝達のために前記リールテーブル間のシャーシに設けられるアイドルギア組立体を形成するステップと；
前記アイドルギア組立体を支持するように設けられる軸を形成するステップと；
前記アイドルギア組立体の軸が収容される軸支持溝および多数の組付け条に挿入支持される多数の組付け突起とを備え、前記アイドルギア組立体を支持するリールカバーボディを前記シャーシに設けるステップと；
前記組付け条に対する組付け突起の挿入状態が維持されるように弾性部材が前記リールカバーボディを弾性支持するステップとを含むことを特徴とする磁気記録再生装置の組付け方法。
【請求項１４】
前記弾性部材は、前記リールカバーボディに一体形成され、前記シャーシの壁に弾性接触する少なくとも２つの弾性羽根を備えることを特徴する請求項１３に記載の磁気記録再生装置の組付け方法。
【発明の詳細な説明】
【技術分野】
【０００１】
本発明は、磁気記録再生装置のデッキ組立体に関し、より詳しくは、テープカセットが収容されるリールテーブルを駆動させるためのアイドルギア組立体の離脱を防止するためシャーシに組み付けられるリールカバーに関する。
【背景技術】
【０００２】
磁気記録再生装置は、磁気テープのような記録媒体に映像およびオーディオ情報を記録し、記録された情報を再生する装置であって、ＶＣＲ（ビデオカセットテープレコーダ）、ビデオカメラ（カムコーダ）などがある。
【０００３】
図１は、一般の磁気記録再生装置のデッキを概略的に示す図である。同図に示すように、一般の磁気記録再生装置のデッキは、メインシャーシ１０およびサブシャーシ２０を有する。メインシャーシ１０には、ヘッドドラム１１、キャプスタンモータ１２、ローディングモータ１３および多数のガイドローラー１４とガイドポール１５を含むテープ走行ガイド手段などが適所に配置されている。
【０００４】
また、サブシャーシ２０は、メインシャーシ１０にスライド可能に設けられ、サブシャーシ２０には、テープカセットが収容される一対のリールテーブル２１、２２、キャプスタンモータ１２の動力をリールテーブル２１、２２へ選択的に伝達するアイドルギア組立体２３と、アイドルギア組立体２３を支持するためのリールカバー３０などが適所に配置されている。
【０００５】
リールカバー３０は、アイドルギア組立体２３の離脱を防止するためサブシャーシ２０に設けられるが、複数のねじ３１によりサブシャーシに組み付けられる。
【０００６】
前述のような多数のねじ３１によりサブシャーシ２０に組み付けられるリールカバー３０を有する従来の磁気記録再生装置のデッキは、組付け部品数および組付け工数が増加し、かかる組付け部品数と組付け工数の増加は、生産性低下およびコストアップにつながるため良くない。特に、近年、小型化しつつある磁気記録再生装置においてねじなどのような締結手段による部品組付けは、生産性やコスト面から競争力を持っていない。
【発明の開示】
【発明が解決しようとする課題】
【０００７】
本発明は、上記のような問題点を解決するためになされたものであって、本発明の目的は、ねじなどのような別の締結手段を用いることなく、シャーシに簡単な方法で組み付けることができる磁気記録再生装置のリールカバーを提供することにある。
【課題を解決するための手段】
【０００８】
前述の目的を達成するための本発明による磁気記録再生装置のリールカバーは、シャーシと；前記シャーシに回転自在に設けられ、テープカセットのテープリールが収容される一対のリールテーブルおよび前記リールテーブルへの選択的な動力伝達のために前記リールテーブル間のシャーシに設けられるアイドルギア組立体とを備える磁気記録再生装置におけるアイドルギア組立体の離脱を防止するものであって、前記アイドルギア組立体の軸が収容される軸支持溝および前記シャーシのアイドルギア組立体の設置位置に形成した多数の組付け条に挿入支持される多数の組付け突起を有し、前記アイドルギア組立体を支持するようにシャーシに設けられるリールカバーボディと；前記組付け条に対する組付け突起の挿入状態が維持されるように前記リールカバーボディを弾性支持する弾性部材とを備える。
【０００９】
前記弾性部材は、前記リールカバーボディに一体形成され、前記シャーシの壁に弾性接触する少なくとも２つの弾性羽根を備える。
【００１０】
また、前記リールカバーボディおよび前記弾性部材は、プラスチック材質で形成されることが好ましい。
【００１１】
また、前記リールカバーボディには、前記リールテーブルに収容されたテープカセットの磁気テープのロックを解除するリリース突起が設けられることができる。
【００１２】
前記リリース突起は、前記リールカバーボディと一体にプラスチック射出成型されてなることが好ましい。
【００１３】
一方、磁気記録再生装置は、多数の組付け条を含むシャーシと；前記シャーシに回転自在に設けられ、テープカセットのテープリールが収容される一対のリールテーブルと；前記リールテーブルへの選択的な動力伝達のために前記リールテーブル間のシャーシに設けられるアイドルギア組立体と；前記アイドルギア組立体を支持するように設けられる軸と；前記アイドルギア組立体の軸が収容される軸支持溝および多数の組付け条に挿入支持される多数の組付け突起とを有し、前記アイドルギア組立体を支持するようにシャーシに設けられるリールカバーボディ；前記組付け条に対する組付け突起の挿入状態が維持されるように前記リールカバーボディを弾性支持する弾性部材とを含む。
【００１４】
ここで、前記弾性部材は、前記リールカバーボディに一体形成され、前記シャーシの壁に弾性接触する少なくとも２つの弾性羽根を備えることが好ましい。
【００１５】
一方、磁気記録再生装置のリールカバーの製造方法は、シャーシに設けられアイドルギア組立体を支持するようにリールカバーボディを形成するステップと；前記アイドルギア組立体の軸が収容される軸支持溝を前記リールカバーボディに設けるステップと；前記アイドルギア組立体の設置位置に形成する多数の組付け条に挿入支持されるように多数の組付け突起を前記リールカバーボディに設けるステップと；前記組付け条に対する組付け突起の挿入状態が維持されるように前記リールカバーボディを弾性支持する弾性部材を形成するステップとを含む。
【００１６】
前記弾性部材は、前記リールカバーボディに一体形成され、前記シャーシの壁に弾力接触する少なくとも２つの弾性羽根を備えるように形成されることが好ましい。
【００１７】
ここで、前記リールカバーボディおよび弾性部材は、プラスチック材質で形成されることが好ましい。
【００１８】
また、前記リールカバーボディには、前記シャーシに回転自在に設けられるリールテーブルに収容されたテープカセットの磁気テープのロックを解除するリリース突起が設けられていることが好ましい。
【００１９】
ここで、前記リリース突起は、前記リールカバーボディと一体にプラスチック射出成型されてなることが好ましい。
【００２０】
一方、磁気記録再生装置の組付け方法は、多数の組付け条を含むシャーシを形成するステップと；前記シャーシに回転自在に設けられテープカセットのテープリールが収容される一対のリールテーブルを形成するステップと；前記リールテーブルの選択的な動力伝達のために前記リールテーブル間のシャーシに設けられるアイドルギア組立体を形成するステップと；前記アイドルギア組立体を支持するように設けられる軸を形成するステップと；前記アイドルギア組立体の軸が収容される軸支持溝および多数の組付け条に挿入支持される多数の組付け突起とを備え、前期アイドルギア組立体を支持するリールカバーボディを前記シャーシに設けるステップと；前記組付け条に対する組付け突起の挿入状態が維持されるように弾性部材が前記リールカバーボディを弾性支持するステップとを含む。
【００２１】
ここで、前記弾性部材は、前記リールカバーボディに一体形成され、前記シャーシの壁に弾性接触する少なくとも２つの弾性羽根を備えることが好ましい。
【発明の効果】
【００２２】
以上のように、本発明によれば、シャーシに対するリールカバーの組付けが非常に簡単に行えるため、組付け部品数および組付け工数の低減による生産性向上およびコストダウンを図ることができる。
【発明を実施するための最良の形態】
【００２３】
以下、本発明の好適な実施形態を添付の図面に基づいて説明する。
（実施形態）
【００２４】
図２は、本発明の一実施形態によるリールカバーが適用された磁気記録再生装置のデッキを示す斜視図であり、図３は、本発明によるリールカバーの底面斜視図である。なお、１００は、シャーシ、２００は、リールカバーである。
【００２５】
図２に示されたように、シャーシ１００は、下面１０１および下面１０１から垂直に折り曲げられた４つの側面１０２〜１０５を有する。図において、１１０は、ヘッドドラム、１２０は、キャプスタンモータ、１３０は、ローディングモータ、１４０および１５０は、テープ走行ガイド手段を構成するガイドローラーおよびガイドポールであり、これらは、シャーシ１００の下面１０１上の適所にそれぞれ配置される。
【００２６】
また、シャーシ１００の下面１０１には、テープカセット（図示せず）が収容される一対のリールテーブル１６１、１６２が回転自在に設けられ、また、キャプスタンモータ１２０の動力をリールテーブル１６１、１６２に選択的に伝達するためのアイドルギア組立体１７０が設けられている。
【００２７】
アイドルギア組立体１７０は、リールテーブル１６１、１６２間のシャーシ１００の下面１０１に設けられたギアシート部１０６に軸１０７として設けられる。アイドルギア組立体１７０のアイドルプーリー１７１は、キャプスタンモータ１２０とベルト（図示せず）で連結され、第１のアイドルギア１７２と第２のアイドルギア１７３とは、アーム１７４により連結される。第２のアイドルギア１７３は、第１のアイドルギア１７２の回転方向に沿ってスイングしながらリールテーブル１６１、１６２に選択的に噛み合い、これによって、リールテーブル１６１、１６２が選択的に駆動される。
【００２８】
なお、リールカバー２００は、アイドルギア組立体１７０の離脱を防止するためアイドルギア組立体１７０を支持するようにシャーシ１００の下面１０１の該当する位置、即ち、リールテーブル１６１、１６２間に設けられる。
【００２９】
かかるリールカバー２００は、図２および図３に示されたように、リールカバーボディ２１０および弾性部材２２０を備える。
【００３０】
リールカバーボディ２１０は、アイドルギア組立体１７０の軸１０７を収容して支持するための軸支持溝２１１とシャーシ１００に組付けるための多数の組付け突起２１２〜２１５を有する。なお、軸支持溝２１１は、ほぼ楕円形状に形成される。これは、リールカバー２２０をシャーシ１００に取り付けるか、シャーシ１００から分離する時、構造上、リールカバー２００が動くようになるところ、かかる動きを可能とするためである。
【００３１】
多数の組付け突起２１２〜２１５は、シャーシ１００の下面１０１の所定位置、即ち、リールテーブル１６１、１６２間のリールカバー２００の組付け位置に形成される多数の組付け条１０８ａ〜１０８ｄに挿入され、支持される。組付け条１０８ａ〜１０８ｄは、少なくとも１つの開放部を有しており、組付け突起２１２〜２１５は、その先端が前記開放部を介して該当する組付け条１０８ａ〜１０８ｄに挿入されることで、係止される。
【００３２】
弾性部材２２０は、リールカバーボディ２１０の組付け突起２１２〜２１５がシャーシ１００の組付け条１０８ａ〜１０８ｄに挿入された状態が維持されるようにリールカバーボディ２１０を弾性支持するためリールカバーボディ２１０に形成される。
【００３３】
かかる弾性部材２２０は、図４および図５に示されたように、シャーシ１００の側壁１０２に弾性接触する一対の弾性羽根２２１、２２２を有し、この弾性羽根２２１、２２２が弾性復元力によりリールカバーボディ２１０が弾性支持されることで、その組付け突起２１２〜２１５が組付け条１０８ａ〜１０８ｄから脱去しないようになる。
【００３４】
リールカバーボディ２１０と弾性部材２２０とは、一体にプラスチック射出成形されることで形成される。また、リールカバーボディ２１０には、リールテーブル１６１、１６２に収容されるテープカセット（図示せず）の磁気テープのロック状態を解除するリリース突起２３０が形成されることができる。このリリース突起２３０も、リールカバーボディ２１０と一体にプラスチック射出成型されることで形成される。
【００３５】
図４および図５は、本発明によるリールカバー２００をシャーシ１００に組付ける例を、組付け前と組付け後とに分けて示したもので、これを参照してリールカバーの組付け方法を説明すると、次の通りである。
【００３６】
先ず、リールカバー２００をシャーシ１００の組付け位置においてその組付け突起２１２〜２１５がシャーシ１００の該当する組付け条１０８ａ〜１０８ｄに近接するように位置させる。このとき、弾性部材２２０は、弾性羽根２２１、２２２がシャーシ１００の壁１０２に接触した状態で収縮されている（図４参照）。従って、それぞれの組付け突起２１２〜２１５は、組付け条１０８ａ〜１０８ｄに挿入できる位置となる。
【００３７】
かかる状態で組付け突起２１２〜２１５が組付け条１０８ａ〜１０８ｄに挿入されるようにリールカバー２００の位置を調整した後、外力を除去すると、組付け突起２１２〜２１５が組付け条１０８ａ〜１０８ｄに挿入されるが、このとき、弾性部材２２０の弾性復元力が作用し、組付け突起２１２〜２１５が組付け条１０８ａ〜１０８ｄから脱去しないようになる。
【００３８】
なお、アイドルギア組立体１７０を回転自在に支持するため、ギアシート１０６に設けられた軸１０７は、その上端部が上記のように組付けられたリールカバー２００に設けられた軸支持溝２１１に収容されることで、アイドルギア組立体１７０が離脱しなくなる。
【００３９】
前述のように、本発明によるリールカバーは、別の締結手段を用いることなく、組付け突起、弾性部材によりシャーシに簡単な方法で組付けることができる。
【００４０】
以上、本発明の原理を例示するための好適な実施形態と関連して図説したが、本発明は、そのように図によって説明されたそのままの構成及び作用に限定されるものではない。却って、添付の特許請求の範囲の思想及び範疇を逸脱することなく本発明に対する種々の変更及び修正が可能であることを当業者はよく理解されるだろう。従って、そのような全ての適切な変更及び修正と均等物も本発明の範囲に属するものとみなされるべきである。
【産業上の利用可能性】
【００４１】
本発明の磁気記録再生装置のリールカバーは、磁気テープのような記録媒体に映像およびオーディオ情報を記録し、記録された情報を再生するＶＣＲ、ビデオカメラなどに適用可能である。
【図面の簡単な説明】
【００４２】
【図１】一般の磁気記録再生装置のデッキを示す斜視図である。
【図２】本発明の一実施形態によるリールカバーが適用されたデッキを示す斜視図である。
【図３】本発明によるリールカバーの底面斜視図である。
【図４】本発明によるリールカバーをシャーシに組付ける方法を示す図である。
【図５】本発明によるリールカバーをシャーシに組付ける方法を示す図である。
【符号の説明】
【００４３】
１００  シャーシ
１０６  ギアシート
１０７  軸
１０８ａ〜１０８ｄ  組付け条
１６１、１６２  リールテーブル
１７０  アイドルギア組立体
１７１  アイドルプーリー
１７２  第１のアイドルギア
１７３  第２のアイドルギア
１７４  アーム
２００  リールカバー
２１０  リールカバーボディ
２１１  軸支持溝
２１２〜２１５  組付け突起
２２０  弾性部材
２２１、２２２  弾性羽根
２３０  リリース突起
【図１】
2006004607.tif 000003
【図２】
2006004607.tif 000004
【図３】
2006004607.tif 000005
【図４】
2006004607.tif 000006
【図５】
2006004607.tif 000007